(57)【特許請求の範囲】
【請求項１】
少なくとも１つの容器を開梱するための音声ガイド付き導入を提供するための方法であって、
第１の容器内のデータ処理システムに関連した開梱命令を、可聴可能な提示のために指定するステップと、
１つ以上の位置センサが、前記開梱命令の前記可聴可能な提示のために構築されていないとの判断に応答して、位置センサ・エラー・メッセージを可聴可能に提示するステップと、
前記第１の容器の中身が、前記開梱命令の前記可聴可能な提示のために準備が整っていないとの判断に応答して、無線周波数センサ・エラー・メッセージを可聴可能に提示するステップと、
前記第１の容器の中身が、前記開梱命令の前記可聴可能な提示のために準備が整っているとの判断に応答して、前記第１の容器内にある音声源から前記開梱命令を可聴可能に提示することによって、前記データ処理システムの音声ガイド付き導入を提供するステップと
を含む方法。
【請求項２】
前記第１の容器内の前記１つ以上の位置センサに照会して、前記１つ以上の位置センサが前記開梱命令の前記可聴可能な提示のために構築されているかどうかを判断するステップと、
前記第１の容器に関連した１つ以上の無線周波数センサに照会して、前記第１の容器の中身が、前記開梱命令の前記可聴可能な提示のために準備が整っているかどうかを判断するステップと
をさらに含む、請求項１に記載の方法。
【請求項３】
前記第１の容器に関連した１つ以上の無線周波数センサに照会して、前記第１の容器の中身が、前記開梱命令の前記可聴可能な提示のために準備が整っているかどうかを判断する前記ステップは、
前記位置センサが前記開梱命令の前記可聴可能な提示のために空間的に構築されているとの暗号化された通信上での判断に応答して、前記第１の容器に関連した１つ以上の無線周波数センサに照会し、前記第１の容器の中身が、前記開梱命令の前記可聴可能な提示のために準備が整っているかどうかを判断するステップをさらに含む、請求項２に記載の方法。
【請求項４】
前記第１の容器内の前記１つ以上の位置センサに照会して、前記１つ以上の位置センサが前記開梱命令の前記可聴可能な提示のために構築されているかどうかを判断する前記ステップは、
磁界センサに照会するステップをさらに含む、請求項２に記載の方法。
【請求項５】
前記第１の容器に関連した１つ以上の無線周波数センサに照会して、前記第１の容器の中身が、前記開梱命令の前記可聴可能な提示のために準備が整っているかどうかを判断する前記ステップは、
前記第１の容器に関連し、かつ第２の容器内にある、１つ以上の無線周波数センサに照会するステップであって、前記第２の容器が、前記第１の容器の外部にあることを特徴とする、ステップをさらに含む、請求項２に記載の方法。
【請求項６】
前記第１の容器に関連した１つ以上の無線周波数センサに照会して、前記第１の容器の中身が、前記開梱命令の前記可聴可能な提示のために準備が整っているかどうかを判断する前記ステップは、
前記第１の容器に関連し、かつ第２の容器内にある、１つ以上の無線周波数センサに照会するステップであって、前記第２の容器が、前記第１の容器の内部にあることを特徴とする、ステップをさらに含む、請求項２に記載の方法。
【請求項７】
前記第１の容器に関連した１つ以上の無線周波数センサに照会して、前記第１の容器の中身が、前記開梱命令の前記可聴可能な提示のために準備が整っているかどうかを判断する前記ステップは、
暗号化部を使用して暗号化された送信を通じて関連付けられた前記１つ以上の無線周波数センサに照会するステップをさらに備える、請求項２に記載の方法。
【請求項８】
データ処理システムの音声ガイド付き導入を提供するためのシステムであって、
第１の容器内のデータ処理システムに関連した開梱命令を、可聴可能な提示のために指定するための手段と、
前記第１の容器内の１つ以上の位置センサに照会して、前記１つ以上の位置センサが前記開梱命令の前記可聴可能な提示のために空間的に構築されているかどうかを判断するための手段と、
前記１つ以上の位置センサが、前記開梱命令の前記可聴可能な提示のために空間的に構築されていないとの判断に応答して、位置センサ・エラー・メッセージを可聴可能に提示するための手段と、
前記第１の容器に関連した１つ以上の無線周波数センサに照会して、前記第１の容器の中身が、前記命令の前記可聴可能な提示のために準備が整っているかどうかを判断するための手段と、
前記第１の容器の中身が、前記開梱命令の前記可聴可能な提示のために準備が整っていないとの判断に応答して、無線周波数センサ・エラー・メッセージを可聴可能に提示するための手段と、
前記第１の容器の中身が、前記開梱命令の前記可聴可能な提示のために準備が整っているとの判断に応答して、前記開梱命令を可聴可能に提示することによって、前記データ処理システムの音声ガイド付き導入を提供するための手段と
を備えるシステム。
【請求項９】
前記第１の容器内の前記１つ以上の位置センサに照会して、前記位置センサが前記開梱命令の前記可聴可能な提示のために空間的に構築されているかどうかを判断するための前記手段は、
ユーザ入力用のボタンに照会するための手段をさらに備える、請求項８に記載のシステム。
【請求項１０】
データ処理システムの内部に実現された機械によって読み取り可能な媒体が有するコンピュータ・プログラムであって、前記機械に、
第１の容器内のデータ処理システムに関連した開梱命令を、可聴可能な提示のために指定するステップと、
前記第１の容器内の１つ以上の位置センサに照会して、前記１つ以上の位置センサが前記開梱命令の前記可聴可能な提示のために空間的に構築されているかどうかを判断するステップと、
前記１つ以上の位置センサが前記開梱命令の前記可聴可能な提示のために空間的に構築されていないとの判断に応答して、位置センサ・エラー・メッセージを可聴可能に提示するステップと、
前記第１の容器に関連した１つ以上の無線周波数センサに照会して、前記第１の容器の中身が、前記命令の前記可聴可能な提示のために準備が整っているかどうかを判断するステップと、
前記第１の容器の中身が、前記開梱命令の前記可聴可能な提示のために準備が整っていないとの判断に応答して、無線周波数センサ・エラー・メッセージを可聴可能に提示するステップと、
前記第１の容器の中身が、前記開梱命令の前記可聴可能な提示のために準備が整っているとの判断に応答して、前記開梱命令を可聴可能に提示することによって、前記データ処理システムの音声ガイド付き導入を提供するステップと
を実行させる、コンピュータ・プログラム。
【発明の詳細な説明】
【技術分野】
【０００１】
本発明は、一般的には、パッケージング・システムに関し、特定的には、データ処理システムについてのパッケージング・システムに関する。さらにより特定的には、本発明は、
データ処理システムの音声ガイド付き導入を提供するための方法、システム、およびコンピュータ・プログラム製品に関する。
【背景技術】
【０００２】
コンピュータおよび情報技術がアメリカ人の生活にますます浸透するにつれて、コンピューティング技術に対してアクセスできる人々と、そうでない人々との間の生活の質における分裂が進展している。アクセスできる人々が利用できるサービスには、商業、社会、情報における機会が豊富に含まれている。残念ながら、研究によると、障害のあるアメリカ人でコンピュータを所有しているのは、障害のない人々の半数以下であり、インターネットを使用しているのは約４分の１である。
【０００３】
コンピュータ技術およびインターネットは、障害のある人々の生活を幅を広め、自立を高める非常に大きな可能性を有している。家を離れるのが困難な人々は、今では、ログ・インして日用品を注文したり、家電製品の買い物をしたり、健康問題を調査したり、オンライン上の議論に参加したり、友人と情報交換したり、新しい友人を作ったりすることができる。視覚障害者の人々は、以前は、必要な情報がブライユ点字または音声テープで利用可能になるのを数ヶ月または数年待っていたが、今では、（テキストから音声への適応をウェブ・ブラウザに対して行うことよって）健常者に利用可能になるのと正に同時に、正に同一の読み物、雑誌の記事、政府報告書、および消費者製品についての情報にアクセスすることができる。ペンを保持するのが困難な人々またはキーボードを使用するのが困難な人々は、最新の音声認識ソフトウェアを使用して、手紙を書いたり、料金を支払ったり、仕事関連のタスクを行ったりすることができる。
【発明の開示】
【発明が解決しようとする課題】
【０００４】
これらの新しい技術は非常に有望である一方で、コンピュータ革命によって、障害のある数多くの人々が取り残されてしまった。研究によると、障害のある人々のうちの４分の１の人々だけがコンピュータを所有し、１０分の１の人々だけがインターネットを利用したことがあるということである。障害のある高齢者および低学歴の高齢者は、これらの新しい技術を利用する可能性がさらに低い。
【０００５】
障害のない人々と同様に、障害のある人々にとって、新しいコンピューティング装置の設置および導入は、最初にアクセスする際に著しい障害となる。導入は、通常、マニュアルを解読する能力に左右され、このマニュアルは、経験のあるユーザにとっては意味をなすこともあるが、初心者にとっては特に役に立つものではない。必要なのは、新しいコンピューティング装置の導入を簡略化する方法である。
【課題を解決するための手段】
【０００６】
データ処理システムの音声ガイド付き導入を提供するための方法を提供する。第１の容器内のデータ処理システムに関連した開梱命令が、可聴可能な提示のために指定され、第１の容器内の１つ以上の位置センサが照会されて、位置センサが開梱命令の可聴可能な提示のために空間的に構築されているかどうかが判断される。位置センサが開梱命令の可聴可能な提示のために空間的に構築されていないとの判断に応答して、位置センサ・エラー・メッセージが可聴可能に提示される。第１の容器に関連した１つ以上の無線周波数センサが照会されて、第１の容器の中身が、命令の可聴可能な提示のために準備が整っているかどうかが判断され、第１の容器の中身が、開梱命令の可聴可能な提示のために準備が整っていないとの判断に応答して、無線周波数センサ・エラー・メッセージが可聴可能に提示される。第１の容器の中身が、開梱命令の可聴可能な提示のため準備が整っているとの判断に応答して、開梱命令を可聴可能に提示することによって、データ処理システムの音声ガイド付き導入が提供される。
【発明を実施するための最良の形態】
【０００７】
本発明の特徴と考えられる新規の特徴は、添付の請求項において記載されている。しかしながら、本発明自体と共に、好ましい形態、ならびにそのさらなる目的および利点は、添付の図面と共に読む場合に、例示的な実施形態の以下の詳細な説明を参照することによって最も理解されるであろう。
【０００８】
本発明は、箱入りのデータ処理システムの音声ガイド付き導入を提供する方法、システム、およびコンピュータ・プログラム製品を提供する。本発明は、専用データ処理システムを使用して、１つ以上の容器に関連した一連のセンサに照会する。関連センサのステータスを発見したのに応答して、専用データ処理システムは、一連のエラー・メッセージおよび命令を適宜提示して、箱入りのデータ処理システムの導入を通してユーザをガイドする。当該データ処理システムの構成要素は、１つ以上の容器に収容されている。導入命令のこの可聴提示によって、ユーザは、分厚い印刷物に関わり合う必要なく、データ処理システムを導入することができる。印刷物に対する依存性を減少させることによって、本発明は、視覚障害者のユーザに対する、箱入りのデータ処理システムの導入可能性を改善している。さらに、センサ照会に基づいて選択された命令およびエラー・メッセージの対話型の性質は、すべてのユーザに対して、特に、データ処理システムを導入するのになじみがない人々に対して、実質的にエラーの傾向が少ない導入を提供する。最後に、本発明を使用することによって、高額の印刷物をなくすことによって、コスト節約という結果を生じさせることもできる。
【０００９】
図面を参照して、特に図１を参照すると、本発明の好ましい一実施形態に係る、専用データ処理システムのブロック図が示されている。専用データ処理システム１００は、処理記憶部（例えば、ＲＯＭ１０２）と、プロセッサ１０４とを含む。入力／出力（Ｉ／Ｏ）コントローラ１０８は、Ｉ／Ｏハーネス１１２のような有線リンクを通じて無線周波数センサ１１０のセットとの接続性を提供する。また、Ｉ／Ｏコントローラ１０８は、ボタン、磁界センサ、または接続センサなどの箱センサ１１４へ接続される。加えて、Ｉ／Ｏコントローラ１０８は、プロセッサ１０４をＲＯＭ１０２に接続するシステム・インターコネクト１１８にスピーカおよびＬＣＤ部１１６を接続する。
【００１０】
ＲＯＭ１０２内において、専用データ処理システム１００は、本発明の好ましい実施形態に係る動作を行っている間にデータおよび命令のいくつかの項目を記憶する。これらには、無線周波数センサ１１０のステータスを判断するためのセンサ・ルーチン１２８が含まれる。提示ルーチン１３０は、命令１４８ａ〜１４８ｎ、無線周波数センサ・エラー・メッセージ１４６ａ〜１４６ｎ、および箱センサ・エラー・メッセージ１４２ａ〜１４２ｎを、無線周波数要件１４４ａ〜１４４ｎのステータス・チェックに応じて、スピーカおよびＬＣＤ部１１６を通じて可聴可能に（および光学的に視覚的に）提示する。また、暗号化部１３２は、無線周波数センサ１１０の通信を暗号化するために提供される。
【００１１】
また、ＲＯＭ１０２は、メッセージ・データ構造１２６を含み、メッセージ・データ構造１２６は、第１の箱センサ要件１４０ａと、第１の箱センサ・エラー・メッセージ１４２ａと、第１の無線周波数要件１４４ａと、第１の無線周波数センサ・エラー・メッセージ１４６ａと、第１の命令１４８ａとからなる第１の命令ルーチン１２０ａを含む。また、メッセージ・データ構造１２６は、第２の箱センサ要件１４０ｂと、第２の箱センサ・エラー・メッセージ１４２ｂと、第２の無線周波数要件１４４ｂと、第２の無線周波数センサ・エラー・メッセージ１４６ｂと、第２の命令１４８ｂとからなる第２の命令ルーチン１２０ｂを含む。最後に、メッセージ・データ構造１２６は、第ｎの箱センサ要件１４０ｎと、第ｎの箱センサ・エラー・メッセージ１４２ｎと、第ｎの無線周波数要件１４４ｎと、第ｎの無線周波数センサ・エラー・メッセージ１４６ｎと、第ｎの命令１４８ｎとからなる第ｎの命令ルーチン１２０ｎを含む。
【００１２】
メッセージ・データ構造１２６を、３つの命令ルーチン１２０ａ〜１２０ｎのみと共に示したが、本発明の方法は、メッセージ・データ構造１２６内における多数の一連の命令ルーチン１２０ａ〜１２０ｎの使用を認めるであろうことを、当業者はすぐに理解するだろう。メッセージ・データ構造１２６内における多数の一連の命令ルーチン１２０ａ〜１２０ｎの使用を通じて、本発明を、様々な複雑な導入タスクのための膨大な一連の小さな命令に拡張することができる。
【００１３】
今度は図２に移ると、専用データ処理システムおよび関連周辺機器を、データ処理システムの音声ガイド付き導入を提供するための方法、システム、およびコンピュータ・プログラム製品の本発明が行われるであろう複数の容器に装着したときの図が示されている。専用データ処理システム１００、無線周波数センサ１１０のセット、Ｉ／Ｏハーネス１１２、箱センサ１１４、ならびにスピーカおよびＬＣＤ部１１６は、第１の容器２００に装着されている。箱センサ１１４内の磁界センサがフラップ２０４が開いているかどうかを確認することができるようにする目的で、磁気位置センサ・アクチュエータ２０２（磁石を含む）が、第１の容器２００のフラップ２０４に装着されている。箱センサ１１４間のこの磁界センサは、使用に供するために容器が空間的に構築されているかどうかを確認するために使用される位置センサの一例であるが、位置センサの他の実施形態が、本発明の範囲から逸脱することなく等しく適用可能であろうことを、当業者は気づくだろう。また、箱センサ１１４は、ユーザ始動用のボタン例２１４を含む。さらなる一例として、ユーザは、各命令を実行後、例えば、容器の一部を空間的に構築した後に、ボタンを始動するように指示されてもよい。第１の遠隔無線周波数部２０６が、第１の容器２００の内部に格納された第２の容器２０８に取り付けられており、専用データ処理システム１００は、無線周波数センサ１１０と第１の遠隔無線周波数部２０６との間の（暗号化部１３２によって暗号化された）通信によって、第２の容器２０８が第１の容器２００から除去されたかどうかを確認できるようになっている。加えて、第２の遠隔無線周波数部２１０が、第３の容器２１２に取り付けられており、専用データ処理システム１００は、無線周波数センサ１１０と第２の遠隔無線周波数部２１０との間の（暗号化部１３２によって暗号化された）通信によって、第３の容器２１２の近接具合およびステータスを確認できるようになっている。
【００１４】
今度は図３を参照すると、データ処理システムの音声ガイド付き導入を提供するための処理の高レベル論理フローチャートが示されている。処理はステップ３００において開始し、その後ステップ３０２へ移り、ステップ３０２は、メッセージ・データ構造１２６内のすべての命令ルーチン１２０ａ〜１２０ｎがスピーカおよびＬＣＤ部１１６を通じて可聴可能に提示されたかどうかをプロセッサ１０４が判断することを示している。メッセージ・データ構造１２６内のすべての命令ルーチン１２０ａ〜１２０ｎがスピーカおよびＬＣＤ部１１６を通じて可聴可能に提示された場合には、処理はステップ３０４において終了する。メッセージ・データ構造１２６内のすべての命令ルーチン１２０ａ〜１２０ｎがスピーカおよびＬＣＤ部１１６を通じて可聴可能に提示されていない場合には、処理は次にステップ３０６へ移る。ステップ３０６は、メッセージ・データ構造１２６のうちの次の命令ルーチン１２０ａをプロセッサ１０４がキューイングすることを示している。
【００１５】
その後、処理はステップ３０８へ移り、ステップ３０８は、センサ・ルーチン１２８を呼び出すことによって箱センサ１１４に照会して、箱センサ要件１４０ａが満たされたかどうかをプロセッサ１０４が判断することを示している。箱センサ要件１４０ａ〜１４０ｎは、箱センサ１１４の様々な形式に関連した様々な要件を含むことができる。図２に示すように、箱センサ１１４は、「スタート・ボタン」または「次」ボタンとして使用可能なボタン２１４を含む。箱センサ要件１４０ａは、ボタン２１４が押下されたことを要することもできる。加えて、箱センサ１１４は、上述のように、磁界センサを含む。箱センサ１１４間の磁界によって、フラップ２０４があいているかどうかを確認することができるようにする目的で、磁気位置センサ・アクチュエータ２０２（磁石を含む）は、第１の容器２００のフラップ２０４に装着されている。箱センサ要件１４０ａは、箱センサ１１４間の磁界センサが、磁気位置センサ・アクチュエータ２０２がフラップ２０４が開いていることを示す位置へ移動したことと整合性がある磁界を示すことを要することができる。
【００１６】
プロセッサ１０４が、センサ・ルーチン１２８を呼び出すことによって箱センサ１１４に照会して、箱センサ要件１４０ａが満たされていないと判断した場合、処理はステップ３１０へ進む。ステップ３１０は、提示ルーチン１３０を使用して、箱センサ・エラー・メッセージ１４２ａをスピーカおよびＬＣＤ部１１６上でプロセッサ１０４が可聴可能に提示することを示している。箱センサ・エラー・メッセージ１４２ａは、ユーザが理解可能な言語で話されたエラー・メッセージであって、第１の容器２００をフラップ２０４で開けるなどの行動を行うようにユーザに対して指示するものであってもよい。プロセッサ１０４が提示ルーチン１３０を使用して、箱センサ・エラー・メッセージ１４２ａをスピーカおよびＬＣＤ部１１６上で可聴可能に提示した後、処理はステップ３０８へ戻る。
【００１７】
ステップ３０８へ戻って、センサ・ルーチン１２８を呼び出すことによって箱センサ１１４に照会して、箱センサ要件１４０ａが満たされたとプロセッサ１０４が判断すると、処理はステップ３１２へ進み、ステップ３１２は、センサ・ルーチン１２８を呼び出すことによって（暗号化部１３２による暗号化を通じて）無線周波数センサ１１０に照会して、無線周波数センサ要件１１４ａが満たされたかどうかについてプロセッサ１０４が判断することを示している。無線周波数センサ要件１１４ａ〜１１４ｎは、第１の遠隔無線周波数部２０６または第２の遠隔無線周波数部２１０のような遠隔無線周波数トランシーバのステータスに関連した様々な要件を含むことができる。
【００１８】
図２に示すように、第１の遠隔無線周波数部２０６を使用して、無線周波数センサ１１０に対する第２の容器２０８の近接具合を判断することができ、それによって、第２の容器２０８が第１の容器２００の内部から除去されたかどうかを判断することができる。図２に示すように、第２の遠隔無線周波数部２１０を使用して、無線周波数センサ１１０に対する第３の容器２１２の近接具合を判断することができ、それによって、すべての材料が手元にあるかどうかを判断することができる。第１の遠隔無線周波数部２０６または第２の遠隔無線周波数部２１０のような遠隔無線周波数トランシーバのステータスに関連したさらに複雑な情報を送信することができ、第１の遠隔無線周波数部２０６または第２の遠隔無線周波数部２１０のような遠隔無線周波数トランシーバのステータスに関連した代替実施形態は、第２の容器２０８および第３の容器２１２それぞれのステータスを判断するための自身のセンサおよびプロセッサを含んでもよいことを、当業者はすぐに理解するだろう。
【００１９】
センサ・ルーチン１２８を呼び出すことによって無線周波数センサ１１０に照会して、無線周波数センサ要件１１４ａが満たされていないとプロセッサ１０４が判断した場合、処理はステップ３１４へ進む。ステップ３１４は、提示ルーチン１３０を使用して、無線周波数センサ・エラー・メッセージ１４６ａをスピーカおよびＬＣＤ部１１６上でプロセッサ１０４が可聴可能に提示することを示している。無線周波数センサ・エラー・メッセージ１４６ａは、ユーザが理解可能な言語で話されたエラー・メッセージであって、第２の容器２０８を第１の容器２００の内部から除去すること、または第３の容器２１２を取り出して第１の容器２００の近くに持ってくるようにすることをユーザに対して指示するものであってもよい。プロセッサ１０４が提示ルーチン１３０を使用して、無線周波数センサ・エラー・メッセージ１４６ａをスピーカおよびＬＣＤ部１１６上で可聴可能に提示した後、処理はステップ３１２へ戻る。
【００２０】
ステップ３１２へ戻って、センサ・ルーチン１２８を呼び出すことによって無線周波数センサ１１０に照会して、無線周波数センサ要件１１４ａが満たされたとプロセッサ１０４が判断した場合、処理はステップ３１６へ進み、ステップ３１６は、提示ルーチン１３０を使用して命令１４８ａをプロセッサ１０４が可聴可能に提示することを示している。命令１４８ａは、ユーザが理解可能な言語で話されたエラー・メッセージであって、第１の容器２００の中身を取り出すなどの行動を行うようにユーザに対して指示するものであってもよい。その後、処理は上述のステップ３０２へ戻る。
【００２１】
本発明を好ましい実施形態を参照して説明して特に示してきたが、形式および詳細に対する様々な変更が本発明の精神および範囲から逸脱することなく行われてもよいことが、当業者によって理解されるだろう。また、本発明を完全に機能するコンピュータ・システムの場合において説明してきたが、本発明の機構は、様々な形式のプログラム製品として配布されることができること、および、本発明は、当該配布を実際に行うために使用される信号搬送媒体の特定の種類に関わらず同じく適用されることを当業者は理解するだろうということに注意することが重要である。信号搬送媒体の例には、フレキシブル・ディスクまたはＣＤ‐ＲＯＭなどの記録可能型媒体、および、アナログまたはデジタル通信リンクなどの送信型媒体が含まれるが、これに限定されない。
【図面の簡単な説明】
【００２２】
【図１】データ処理システムの音声ガイド付き導入を提供するための方法、システム、およびコンピュータ・プログラム製品の本発明が行われるであろう専用データ処理システムのブロック図を示す。
【図２】専用データ処理装置および関連周辺機器を、データ処理システムの音声ガイド付き導入を提供するための方法、システム、およびコンピュータ・プログラム製品の本発明が行われるであろう複数の容器に装着したときの図を示す。
【図３】データ処理システムの音声ガイド付き導入を提供するための処理の高レベル論理フローチャートである。
【符号の説明】
【００２３】
１００  データ処理システム
１０２  ＲＯＭ
１０４  プロセッサ
１０８  Ｉ／Ｏコントローラ
１１０  無線周波数センサ
１１２  Ｉ／Ｏハーネス
１１４  箱センサ
１１６  スピーカおよびＬＣＤ部
１１８  システム・インターコネクト
１２０ａ  第１の命令ルーチン
１２０ｂ  第２の命令ルーチン
１２０ｎ  第ｎの命令ルーチン
１２８  センサ・ルーチン
１３０  提示ルーチン
１３２  暗号化部
１４０ａ〜１４０ｎ  箱センサ要件
１４２ａ〜１４２ｎ  箱センサ・エラー・メッセージ
１４４ａ〜１４４ｎ  無線周波数要件
１４６ａ〜１４６ｎ  無線周波数センサ・エラー・メッセージ
１４８ａ〜１４８ｎ  命令
【図１】
0005116296.tif 000002
【図２】
0005116296.tif 000003
【図３】
0005116296.tif 000004